【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
撮像素子により被写体を撮像して、ユーザが所望する画角の第１の画素範囲の第１画像のデータと前記第１画像に外接する第２の画素範囲の第２画像のデータとを生成する撮像部と、
前記第１画像のデータを記録するとともに、前記第１画像のデータの付加情報として前記第２画像のデータを記録する記録部と、
を備えることを特徴とする撮像装置。
【請求項２】
請求項１に記載の撮像装置において、
前記撮像部は、前記撮像素子から前記第１画像の信号と前記第２画像の信号とを別々に読み出し、前記第１画像の信号に基づく前記第１画像のデータと前記第２画像の信号に基づく前記第２画像のデータとを生成する
ことを特徴とする撮像装置。
【請求項３】
請求項１に記載の撮像装置において、
前記撮像部は、被写体を撮像して生成した画像のデータを分割して前記第１画像のデータと前記第２画像のデータとを生成する
ことを特徴とする撮像装置。
【請求項４】
請求項１に記載の撮像装置において、
前記撮像装置の水平状態に対する回転角度を検出する回転角度検出部と、
前記回転角度検出部により検出された前記回転角度に基づいて、前記撮像装置が水平状態か否かを判定する角度判定部とをさらに備え、
前記記録部は、前記撮像装置が前記水平状態でないときにのみ、前記第２画像のデータを記録する
ことを特徴とする撮像装置。
【請求項５】
請求項１に記載の撮像装置において、
前記記録部から前記第１画像のデータと前記第２画像のデータとを読み出すとともに、前記第１画像と前記第２画像とを合わせて第３画像を生成する画像処理部と、
前記第１画像を表示する表示部と、
前記第１画像の回転指示をユーザから受け付ける操作部とをさらに備え、
前記画像処理部は、前記回転指示に応じて、前記第３画像を回転するとともに、前記回転後の前記第３画像から前記第１画像の大きさに相当する画像を切り出す
ことを特徴とする撮像装置。
【請求項６】
請求項１に記載の撮像装置において、
前記記録部から前記第１画像のデータと前記第２画像のデータとを読み出すとともに、前記第１画像と前記第２画像とを合わせて第３画像を生成する画像処理部と、
前記第１画像を表示する表示部と、
前記第１画像の画角をシフトする指示をユーザから受け付ける操作部とをさらに備え、
前記画像処理部は、前記指示に応じて、前記第１画像の画角をシフトするとともに、前記第３画像から前記シフト後の前記第１画像の画角に対応する画像を切り出すか、または、前記画像処理部は、前記指示に応じて、前記第３画像をシフトするとともに、前記シフト後の前記第３画像から前記第１画像と同じ位置、かつ、同じ大きさに相当する画像を切り出す
ことを特徴とする撮像装置。
【請求項７】
請求項１に記載の撮像装置において、
前記記録部から前記第１画像のデータと前記第２画像のデータを読み出すとともに、前記第１画像と前記第２画像とを合わせて第３画像を生成する画像処理部と、
前記第１画像を表示する表示部と、
前記第１画像をズームアウトする倍率をユーザから受け付ける操作部とをさらに備え、
前記画像処理部は、前記倍率に応じて、前記第３画像を縮小するとともに、前記縮小した前記第３画像から前記第１画像の大きさに相当する画像を切り出すか、または、前記画像処理部は、前記倍率に応じて、前記第１画像の画角を拡大して、前記第３画像から前記拡大した前記第１画像の画角に対応する画像を切り出すとともに、前記切り出した画像を前記第１画像の大きさに縮小する
ことを特徴とする撮像装置。
【請求項８】
請求項２に記載の撮像装置において、
前記撮像素子は、前記第１の画素範囲を変更可能である
ことを特徴とする撮像装置。
【請求項９】
請求項３に記載の撮像装置において、
前記撮像部は、前記画像のデータを分割する領域を変更して、前記第１画像の大きさを変更可能である
ことを特徴とする撮像装置。
【請求項１０】
被写体を撮像する撮像素子を有する撮像装置によって生成されたユーザが所望する画角の第１の画素範囲の第１画像のデータと前記第１画像に外接する第２の画素範囲の第２画像のデータとを合わせて第３画像を生成する画像処理部と、
前記第１画像を表示部へ表示させる表示制御部と、
前記表示部に表示された前記第１画像の回転指示をユーザから受け付ける操作部と
を備え、
前記画像処理部は、前記回転指示に応じて、前記第３画像を回転するとともに、前記回転後の前記第３画像から前記第１画像の大きさに相当する画像を切り出す
ことを特徴とする画像編集装置。
【請求項１１】
被写体を撮像する撮像素子を有する撮像装置によって生成されたユーザが所望する画角の第１の画素範囲の第１画像のデータと前記第１画像に外接する第２の画素範囲の第２画像のデータとを合わせて第３画像を生成する画像処理部と、
前記第１画像を表示部へ表示させる表示制御部と、
前記表示部に表示された前記第１画像の画角をシフトする指示をユーザから受け付ける操作部と
を備え、
前記画像処理部は、前記指示に応じて、前記第１画像の画角をシフトするとともに、前記第３画像から前記シフト後の前記第１画像の画角に対応する画像を切り出すか、または、前記画像処理部は、前記指示に応じて、前記第３画像をシフトするとともに、前記シフト後の前記第３画像から前記第１画像と同じ位置、かつ、同じ大きさに相当する画像を切り出す
ことを特徴とする画像編集装置。
【請求項１２】
被写体を撮像する撮像素子を有する撮像装置によって生成されたユーザが所望する画角の第１の画素範囲の第１画像のデータと前記第１画像に外接する第２の画素範囲の第２画像のデータとを合わせて第３画像を生成する画像処理部と、
前記第１画像を表示部へ表示させる表示制御部と、
前記第１画像をズームアウトする倍率をユーザから受け付ける操作部と
を備え、
前記画像処理部は、前記倍率に応じて、前記第３画像を縮小するとともに、前記縮小した前記第３画像から前記第１画像の大きさに相当する画像を切り出すか、または、前記画像処理部は、前記倍率に応じて、前記第１画像の画角を拡大して、前記第３画像から前記拡大した前記第１画像の画角に対応する画像を切り出すとともに、前記切り出した画像を前記第１画像の大きさに縮小する
ことを特徴とする画像編集装置。
【手続補正２】
【補正対象書類名】明細書
【補正対象項目名】発明の名称
【補正方法】変更
【補正の内容】
【発明の名称】撮像装置および画像編集装置
【手続補正３】
【補正対象書類名】明細書
【補正対象項目名】０００１
【補正方法】変更
【補正の内容】
【０００１】
本発明は、撮像装置および画像編集装置に関する。
【手続補正４】
【補正対象書類名】明細書
【補正対象項目名】０００４
【補正方法】変更
【補正の内容】
【０００４】
そこで、本発明の撮像装置および画像編集装置は、画像編集に好適な画像を記録することを目的とする。
【手続補正５】
【補正対象書類名】明細書
【補正対象項目名】０００５
【補正方法】変更
【補正の内容】
【０００５】
本発明の撮像装置は、撮像素子により被写体を撮像して、ユーザが所望する画角の第１の画素範囲の第１画像のデータと前記第１画像に外接する第２の画素範囲の第２画像のデータとを生成する撮像部と、前記第１画像のデータを記録するとともに、前記第１画像のデータの付加情報として前記第２画像のデータを記録する記録部と、を備えることを特徴とする。
【手続補正６】
【補正対象書類名】明細書
【補正対象項目名】０００６
【補正方法】変更
【補正の内容】
【０００６】
また、本発明の画像編集装置は、被写体を撮像する撮像素子を有する撮像装置によって生成されたユーザが所望する画角の第１の画素範囲の第１画像のデータと前記第１画像に外接する第２の画素範囲の第２画像のデータとを合わせて第３画像を生成する画像処理部と、前記第１画像を表示部へ表示させる表示制御部と、前記表示部に表示された前記第１画像の回転指示をユーザから受け付ける操作部とを備え、前記画像処理部は、前記回転指示に応じて、前記第３画像を回転するとともに、前記回転後の前記第３画像から前記第１画像の大きさに相当する画像を切り出すことを特徴とする。
【手続補正７】
【補正対象書類名】明細書
【補正対象項目名】０００７
【補正方法】変更
【補正の内容】
【０００７】
また、本発明の画像編集装置は、被写体を撮像する撮像素子を有する撮像装置によって生成されたユーザが所望する画角の第１の画素範囲の第１画像のデータと前記第１画像に外接する第２の画素範囲の第２画像のデータとを合わせて第３画像を生成する画像処理部と、前記第１画像を表示部へ表示させる表示制御部と、前記表示部に表示された前記第１画像の画角をシフトする指示をユーザから受け付ける操作部とを備え、前記画像処理部は、前記指示に応じて、前記第１画像の画角をシフトするとともに、前記第３画像から前記シフト後の前記第１画像の画角に対応する画像を切り出すか、または、前記画像処理部は、前記指示に応じて、前記第３画像をシフトするとともに、前記シフト後の前記第３画像から前記第１画像と同じ位置、かつ、同じ大きさに相当する画像を切り出すことを特徴としてもよい。
【手続補正８】
【補正対象書類名】明細書
【補正対象項目名】０００８
【補正方法】変更
【補正の内容】
【０００８】
また、本発明の画像編集装置は、被写体を撮像する撮像素子を有する撮像装置によって生成されたユーザが所望する画角の第１の画素範囲の第１画像のデータと前記第１画像に外接する第２の画素範囲の第２画像のデータとを合わせて第３画像を生成する画像処理部と、前記第１画像を表示部へ表示させる表示制御部と、前記第１画像をズームアウトする倍率をユーザから受け付ける操作部とを備え、前記画像処理部は、前記倍率に応じて、前記第３画像を縮小するとともに、前記縮小した前記第３画像から前記第１画像の大きさに相当する画像を切り出すか、または、前記画像処理部は、前記倍率に応じて、前記第１画像の画角を拡大して、前記第３画像から前記拡大した前記第１画像の画角に対応する画像を切り出すとともに、前記切り出した画像を前記第１画像の大きさに縮小することを特徴としてもよい。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
本発明の撮像装置および画像編集装置は、画像編集に好適な画像を記録することができる。